(57)【要約】本発明は、少なくとも１つの装置（４、６、８、１０、１２、１４、１６）の駆動状態を遷移させる方法であって、少なくとも１つの装置（４、６、８、１０、１２、１４、１６）には、各１つのビットパターン（１００、１０２、１０４、１０６、１０８、１１０、１１２、１１４、１１６、１１８）を有する複数の比較レジスタが割り当てられ、少なくとも１つの装置（４、６、８、１０、１２、１４、１６）によって、ネットワーク（２）を介して送信されるデータパケット（１２０）が受信され、データパケット（１２０）の内容が、割り当てられた比較レジスタのビットパターン（１００、１０２、１０４、１０６、１０８、１１０、１１２、１１４、１１６、１１８）と比較され、少なくとも１つの装置（４、６、８、１０、１２、１４、１６）によって、割り当てられた比較レジスタのビットパターン（１００、１０２、１０４、１０６、１０８、１１０、１１２、１１４、１１６、１１８）と、データパケット（１２０）の内容と、の一致が検出された場合には、少なくとも１つの装置（４、６、８、１０、１２、１４、１６）の駆動状態の遷移が行われる、上記方法に関する。【選択図】図１
2013530595.tif 000002
【特許請求の範囲】
【請求項１】
少なくとも１つの装置（４、６、８、１０、１２、１４、１６）の駆動状態を遷移させる方法であって、前記少なくとも１つの装置（４、６、８、１０、１２、１４、１６）には、各１つのビットパターン（１００、１０２、１０４、１０６、１０８、１１０、１１２、１１４、１１６、１１８）を有する複数の比較レジスタが割り当てられ、前記少なくとも１つの装置（４、６、８、１０、１２、１４、１６）によって、ネットワーク（２）を介して送信されるデータパケット（１２０）が受信され、前記データパケット（１２０）の内容が、前記割り当てられた比較レジスタの前記ビットパターン（１００、１０２、１０４、１０６、１０８、１１０、１１２、１１４、１１６、１１８）と比較され、前記少なくとも１つの装置（４、６、８、１０、１２、１４、１６）によって、前記割り当てられた比較レジスタのビットパターン（１００、１０２、１０４、１０６、１０８、１１０、１１２、１１４、１１６、１１８）と、前記データパケット（１２０）の前記内容と、の一致が検出された場合には、前記少なくとも１つの装置（４、６、８、１０、１２、１４、１６）の前記駆動状態の遷移が行われる、方法。
【請求項２】
前記少なくとも１つの装置（４、６、８、１０、１２、１４、１６）は、駆動状態の遷移の際に、休止状態若しくはスリープ状態からアウェイク状態に移行し、又は、アウェイク状態から休止状態若しくはスリープ状態に移行する、請求項１に記載の方法。
【請求項３】
複数の装置（４、６、８、１０、１２、１４、１６）は、前記ネットワーク（２）内で装置（４、６、１０，１２、１４、１６）の一群に所属するとして定められ、前記一群の全ての装置（４、６、８、１０、１２、１４、１６）にそれぞれ、当該装置（４、６、８、１０、１２、１４、１６）について同一のビットパターン（１００、１０２、１０４、１０６、１０８、１１０、１１２、１１４、１１６、１１８）を有する少なくとも１つの比較レジスタが割り当てられ、前記装置（４、６、８、１０、１２、１４、１６）によって、前記同一のビットパターン（１００、１０２、１０４、１０６、１０８、１１０、１１２、１１４、１１６、１１８）と、前記受信されたデータパケット（１２０）の前記内容と、の一致が検出された場合には、前記装置（４、６、８、１０、１２、１４、１６）の駆動状態が遷移される、請求項１又は２に記載の方法。
【請求項４】
比較レジスタは、前記比較レジスタに格納されたビットパターン（１００、１０２、１０４、１０６、１０８、１１０、１１２、１１４、１１６、１１８）の前記内容を介して作動され又は停止される、請求項１〜３のいずれか１項に記載の方法。
【請求項５】
複数の比較レジスタが連結されて１つの比較レジスタとなる、請求項１〜４のいずれか１項に記載の方法。
【請求項６】
前記比較レジスタには、前記少なくとも１つの装置（４、６、８、１０、１２、１４、１６）の作動又はリセット後に、標準ビットパターンが格納される、請求項１〜５のいずれか１項に記載の方法。
【請求項７】
ケーブルで接続されたデータ伝送のためのネットワーク（２）のノードとして構成される少なくとも１つの装置（４、６、８、１０、１２、１４、１６）のために実施される、請求項１〜６のいずれか１項に記載の方法。
【請求項８】
自動車（１９）内に配置されたネットワーク（２）のノードとして構成される少なくとも１つの装置（４、６、８、１０、１２、１４、１６）のために実施される、請求項１〜７のいずれか１項に記載の方法。
【請求項９】
各１つのビットパターン（１００、１０２、１０４、１０６、１０８、１１０、１１２、１１４、１１６、１１８）を有する複数の比較レジスタが割り当てられる装置であって、前記装置は、ネットワーク（２）を介して送信されるデータパケット（１２０）を受信し、前記データパケット（１２０）の内容と、前記割り当てられた比較レジスタの前記ビットパターン（１００、１０２、１０４、１０６、１０８、１１０、１１２、１１４、１１６、１１８）と、を比較し、前記装置（４、６、８、１０、１２、１４、１６）が前記割り当てられた比較レジスタの前記ビットパターン（１００、１０２、１０４、１０６、１０８、１１０、１１２、１１４、１１６、１１８）と、前記データパケット（１２０）の前記内容と、の一致を検出した場合には、駆動状態の遷移を行うように構成される、装置。
【請求項１０】
前記比較レジスタは、設定可能なメモリセル（２２）として構成される、請求項９に記載の装置。
【発明の詳細な説明】
【技術分野】
【０００１】
本発明は、ネットワークのノードとして構成された少なくとも１つの装置の駆動状態を遷移させる方法、及び、このような装置に関する。
【背景技術】
【０００２】
ネットワーク内では、様々なノード又は加入者（Ｔｅｌｉｎｅｈｍｅｒ）が互いに接続され、この様々なノード又は加入者の間で、ネットワークを介して、信号の伝達によって、データ及び情報を交換することが可能である。本発明は、ネットワークのノードを適切な形態で駆動する可能性に関する。
【０００３】
これに関して、ＰＣ技術からは既に、空間的に限定される局所的なネットワーク（ＬＡＮ）のノードを起動するための機能「Ｗａｋｅ  ｏｎ  ＬＡＮ」（ＷＯＬ）が公知である。この機能によって、通常では、ネットワーク内の個々のノードを合目的的に起動することが可能となる。その際に、ノードのネットワークカードには、所謂「マジックパケット」（Ｍａｇｉｃ  Ｐａｃｋｅｔ）が伝達され、このマジックパケットの受信の際には、例えば演算機として構成されたノードが作動される。このパケットは、６回連続して１６進値「ＦＦ」を含み、その直後に、ノードの物理的アドレス、通常では、メディアアクセスコントロール（Ｍｅｄｉａ−Ａｃｃｅｓｓ−Ｃｏｎｔｒｏｌ）又はＭＡＣアドレスが、途切れることなく１６回繰り返される。その際に、マジックパケットを伝達するメッセージのフレーム内での「マジックパケット」の位置は任意である。このことによって、例えば、イーサネット（ケーブルで接続されたデータネットワーク）、ＩＰ（インタネットプロトコル）、ＴＣＰ（伝送制御プロトコル、Ｔｒａｎｓｍｉｓｓｉｏｎ  Ｃｏｎｔｒｏｌ  Ｐｒｏｔｏｃｏｌ）、又は、ＵＤＰ（ユーザデータグラムプロトコル、Ｕｓｅｒ  Ｄａｔａｇｒａｍ  Ｐｒｏｔｏｃｏｌ）のような、任意の各プロトコルを用いたメッセージ送信が可能となる。
【発明の概要】
【発明が解決しようとする課題】
【０００４】
しかしながら、メッセージを用いた複数のノードの起動は構想されていない。さらに、スリープモードではより高次のプロトコルがサポートされないため、送信者は予め、起動すべきノードのハードウェアアドレスが分かっている必要がある。
【０００５】
ビットパターンを介してシステムを起動しうるために、第１の層（レイヤ１、物理層）において、受信装置がアクティブ（ａｋｔｉｖ）である必要がある。送信装置は停止されていてもよい。実現に従って、ビットパターンを検出し、起動モジュールに渡すことが既にここで可能である。また、復号のために第２の層（レイヤ２、データリンク）を利用する実現も存在する。
【０００６】
車両技術では、バスシステムを介してノードを起動する仕組みも同様に公知である。ＣＡＮ（Ｃｏｎｔｒｏｌｌｅｒ  Ａｒｅａ  Ｎｅｔｗｏｒｋ）では、起動は、バスアクティビティの検出又は証明によって行われ、ＦｌｅｘＲａｙでは、定義されたコードの送信を介して行われる。しかしながら、ネットワーク内の個々のノード又はノード群の起動は、従来では車両内でサポートされていない。
【０００７】
ＦｌｅｘＲａｙでは、ノードを起動するためのビットパターンが固定で設定される。ビットパターンは、ここではパターン（Ｐａｔｔｅｒｎ）と呼ばれる。しかしながら、このパターンの設定可能性は構想されていない。ＦｌｅｘＲａｙのためのパターンの構造は、「ｉｄｌｅ−０−1−０−１」又は「ｉｄｌｅ−０−ｉｄｌｅ−０−ｉｄｌｅ」である。その際に、各位相（ｉｄｌｅ、０、１）は、長さ４μｓを有する。このパターンは、バス上に直接的に設定されてもよく、又は、フレームのペイロード（Ｐａｙｌｏａｄ）若しくはユーザデータであってもよい。後者の場合は、ＢＳＳ（バイト・スタート・シーケンス、Ｂｙｔｅ  Ｓｔａｒｔ  Ｓｅｑｕｅｎｚ）の１は無視される。
【課題を解決するための手段】
【０００８】
このような背景から、独立請求項の特徴を備えた方法及び構成が提示される。本発明の更なる別の実施形態は、従属請求項及び明細書の記載から明らかとなろう。
【０００９】
本発明によって特に、イーサネットとして構成され、通常はケーブルで接続されるネットワーク内での所謂マルチキャスト（Ｍｕｌｔｉｃａｓｔ）起動及びブロードキャスト（Ｂｒｏａｄｃａｓｔ）起動が実現され、従って、この種のネットワークの複数のノード又は場合によっては全てのノードの起動が可能とされうる。その際に、マルチキャスト起動の際には、ネットワークの或るポイントから出発した、典型的にマルチポイント接続を介する、少なくとも２つ、従って複数のノードの起動が構想される。ブロードキャスト起動の場合には、メッセージ伝送を介して、ネットワークの全ノードが起動されうる。通常では、ここで記載されるノードは、ネットワークを介して互いに接続される場合にネットワークのノードとして互いに相互作用することが可能なデータ処理装置が関わっている。
【００１０】
データパケットの構成要素としてのメッセージを介して、複数のノードを１回で起動するという可能性によって、車両にネットワークとしてイーサネットが導入される際にも、車両内で利用される従来のネットワーク管理を引き続き利用することが可能である。
【００１１】
本発明の枠組みにおいて、少なくとも１つのノードは、以下のシナリオの少なくとも１つを支持するように、設定される。
−様々な特別なメッセージ及びデータパケットの受信の際のノードの起動
−特定のメッセージによる、イーサネットを介してネットワーク化されたノード又はノード群の選択の起動、及び／又は、
−特定のメッセージによる、イーサネットを介してネットワーク化された全ノードの起動
【００１２】
本発明にかかる装置は、提示される方法の全ステップを実施するよう構成される。その際に、本方法の個々のステップは、装置の個々の構成要素によっても実施されうる。さらに、装置の機能又は装置の個々の構成要素の機能は、本方法のステップとして実現されうる。さらに、本方法のステップを、装置の少なくとも１つの構成要素又は装置全体の機能として実現することが可能である。
【００１３】
本発明の枠組みにおいて、イーサネット、又は、ケーブルで接続されたデータ伝送のためのネットワークの、ノード又は加入者として構成可能な装置のウェイクアップロジック部（Ｗａｋｅ−Ｕｐ−Ｌｏｇｉｋ）を、設定可能なメモリセルとして構成可能な追加的な比較レジスタの分だけ拡張することが構想される。この追加的な比較レジスタは、装置の駆動状態の変更又は遷移のため受信されたデータパケットの内容と比較されるビットパターンを格納するためにのみ設けられうる。従って、この追加的な比較レジスタは、装置への追加物に相当し、装置は、それ以外の場合には、他の目的のために更なる別の比較レジスタを有することが可能である。従って、ビットパターンを有する複数の比較レジスタが、装置に組み込まれる。この比較レジスタは、様々な形態で設定することが可能である。
【００１４】
比較レジスタの設定によって、複数のビットパターンであって、当該ビットパターンによって、通常ではノードとして構成されるネットワークの装置はスリープ駆動又はスリープモードに置かれた後で再びこのスリープ駆動又はスリープモードから抜けることが可能な、上記ビットパターンを定めることが可能である。自動車分野での適用の際には、ノード又は装置は、例えば、自動車の少なくとも１つの構成要素のためのセンサ、アクチュエータ、又は、制御装置として構成される。
【００１５】
これに加えて、装置又はノードは、送信されたデータストリーム内、従って、伝達されたメッセージ内の受信されたデータパケットの内容と、比較レジスタの内容、及び、少なくとも１つの装置のために設けられた複数のビットパターンと、の一致を比較する。
【００１６】
装置が、データストリーム内のデータパケットの任意の箇所で、少なくとも１つの比較レジスタの内容、通常ではビットパターンの一致を検出し次第、駆動状態の遷移、すなわち、例えば、スリープ状態からアウェイク状態への遷移、従って、装置が全機能を実施することが可能な通常の駆動状態への駆動状態の遷移が行われる。
【００１７】
休止状態とも称されるスリープ状態において、通常では、僅かな基本的機能のみ装置によって実行されるため、装置は、ある種のスタンバイ（Ｓｔａｎｄ−ｂｙ）駆動又は待機駆動の状態にある。
【００１８】
通常では、送信されるデータパケットの内容は複数のデータを含み、その際、各データは、少なくとも１つの装置の駆動状態の遷移をもたらす上記のビットパターンとして符号化され及び／又は設定されうる。データパケットにより送信されるこの種のビットパターンは、所謂遷移ビットパターンとも呼ばれうる。
【００１９】
複数の装置が、当該装置の全てについて同一の１つのビットパターンによって設定される場合には、同一のビットパターンを用いて、この装置群を同時に起動することが可能である。１つの装置のために複数の比較レジスタが設定されるため、装置は、当該装置に割り当てられた様々な比較レジスタ内の様々なビットパターンによって起動されうる。このことによって、例えば、ネットワーク内の複数の装置群に対する、ノードとして構成された装置の所属を定めることが可能となる。
【００２０】
比較レジスタ、及び／又は、その中に格納されるビットパターンの大きさは任意であり、ネットワーク内でのデータ伝送に関して求められる要請に対応して選択されうる。現在の規格に依拠して、例えば、比較レジスタ及び／又はその中に格納されるビットパターンの大きさについて、４２バイト＝６バイト＋６＊６バイトが構想可能である。
【００２１】
装置には、比較レジスタに格納された複数の上記ビットパターンが割り当てられる。少なくとも１つのビットパターンによって、装置の識別、及び、例えば、複数の装置群に対する装置の対応付けも可能である。従って、この種のビットパターンは、典型的に、ネットワーク内での装置の識別のために設けられる。
【００２２】
さらに、比較のために比較レジスタの内容を利用するかを決定する任意の設定の組み込みも行われる。比較レジスタの停止は、例えば、当該比較レジスタの内容自体を介して制御されうる。従って、その内容が０のみを含む比較レジスタの設定により、比較レジスタの停止が引き起こされるということが構想されうる。代替的又は追加的に、ビットパターンが０のみを有し及び／又は予め定義される構造を有する場合に、比較レジスタが停止されうる。通常では、各他のレジスタ値又は他の措置も想定されうる。比較レジスタの作動、及び／又は、比較レジスタに格納されるビットパターンの生成は、適切な措置により必要な場合に常に行われうる。
【００２３】
比較レジスタの設定可能性を拡大するために、任意の数の既存の比較レジスタを連結し、従って接続し、及び／又は、内容、すなわち、通常では比較システム内に格納されたビットパターンを、比較レジスタをまたいで結合するという可能性も構想されうる。従って、個々の比較レジスタよりも長いビットパターンも設けることが可能である。
【００２４】
更なる別の実施形態において、標準ビットパターンを有する比較レジスタの自動的な割り当てが行われ、このことは、装置の作動又はリセットの直後に行われ、状態に依存せずに比較レジスタに格納されうる。これにより、例えばソフトウェアを介する、手動の設定を省略することが可能であろう。その際に、標準ビットパターンについての選択可能性を設けることも構想されうる。このことは、例えば、ノードとして構成される装置の１つ又は複数のピンの接続を介して行うことが可能であろう。
【００２５】
比較レジスタは、典型的に、任意の各記憶技術、即ち、ＲＡＭ、ＥＥＰＲＯＭ、ＦＬＡＳＨに組み込まれうる。
【００２６】
さらに、本発明の枠組みにおいて、ノードの２つの任意の駆動状態の間での遷移のために、比較レジスタを利用することが構想されうる。
【００２７】
従って、本発明の変形例において、データパケット内のウェイクアップ（Ｗａｋｅ−Ｕｐ）メッセージとして構成されたメッセージによる、スリープ状態からアウェイク状態、従って通常の駆動状態への装置の遷移の他に、アウェイク状態からスリープ状態又は休止状態への遷移も可能である。記載される方法は、このために十分な駆動信頼性を有する。
【００２８】
従来では、メッセージのこの種の機能は、より高次の、開放型システム間相互接続（Ｏｐｅｎ−Ｓｙｓｔｅｍｓ−Ｉｎｔｅｒｃｏｎｎｅｃｔｉｏｎ）又はＯＳＩレベルにおいて、従って、国際標準化機関（ＩＳＯ）に従った階層モデルのレベルにおいて可能となるが、このことは、対応するソフトウェアコストを前提としている。
【００２９】
本発明によって、複数のノード及び装置について同一のビットパターンを、データパケットの内容として、マルチキャスト又はブロードキャストメッセージで送信し、上記複数のノード及び装置の駆動状態を変更することも可能である。
【００３０】
装置には、当該装置がネットワークと接続されているか否かに依存せずに、比較レジスタを割り当てることが可能である。典型的に、装置は、ネットワークと接続される場合に、ネットワークのノード又は加入者として構成される。
【００３１】
装置が一時的にネットワークから分離される場合には、ネットワークとの新たな接続が成功した後に、データパケットであって、その内容、即ち遷移ビットパターンが、駆動状態が遷移される装置の比較レジスタのビットパターンと一致する上記データパケットの受信によって、装置は起動されうる。
【００３２】
通常では、ノードと呼ばれるネットワークの装置は所謂スレーブとして構成され、その駆動状態は、典型的に、マスタとして構成された上位の装置によって、適切な内容を有するデータパケットの送信により変更されうる。しかしながら、ネットワーク内でスレーブとして構成された装置がデータパケットを交換し、従って、自身の駆動状態を互いに変更し、遷移させることも可能である。
【００３３】
本発明に係る方法の可能な実施形態において、スリープ状態からの装置の起動のために、例えば、伝達プロトコル（ＩＰ、Ｉｎｔｅｒｎｅｔ  Ｐｒｏｔｏｃｏｌ）、又は、伝送プロトコル（ＵＤＰ、ユーザデータグラムプロトコル）のような、より高次のプロトコルを利用することが可能である。代替的又は追加的に、装置の起動のために、より高次の層３〜７を利用することも可能である。
【００３４】
本発明は、通常では、複数の様々な装置を有するネットワークを含む、例えば自動車として構成された車両のために利用することが可能である。
【００３５】
本発明の更なる別の利点及び実施形態は、明細書の記載及び添付の図面から明らかとなろう。
【００３６】
先に記載した特徴、及び、以下で解説する特徴は、示される各組み合わせのみならず他の組み合わせにおいても、又は、単独でも、本発明の枠組みを逸脱することなく利用されうる。
【図面の簡単な説明】
【００３７】
【図１】本発明に係る方法の一実施形態を実施した際の本発明に係る装置の複数例を含むネットワークの概略図を示す。
【発明を実施するための形態】
【００３８】
本発明は、一実施形態を用いて図に概略的に示され、以下では、図面を参照して詳細に記載される。
【００３９】
図１は、複数の装置４、６、８、１０、１２、１４、１６を含むネットワーク２を概略的に示している。この装置４、６、８、１０、１２、１４、１６は、データ処理オペレーション、通常では演算オペレーションの実行のために構成される。
【００４０】
さらに、この装置４、６、８、１０、１２、１４、１６は、ここではケーブルとして構成される物理的接続素子２０を介して、ネットワーク２を介して互いに接続されている。従って、装置４、６、８、１０、１２、１４、１６は、ネットワーク２の物理的接続素子２０を介して、典型的に電気信号を介して提供されるデータを交換しうるということが可能である。
【００４１】
記載されるネットワーク２は、自動車１９として構成され点線で囲まれた車両内に配置されるということが構想される。
【００４２】
本発明の記載される本実施形態において、各装置４、６、８、１０、１２、１４、１６が、ここでは方形により象徴的に示される複数の設定可能なメモリセル２２を有するということが構想される。ここに示す設定可能なメモリセル２２内では、各装置４、６、８、１０、１２、１４、１６に、複数の割り当てられた比較レジスタが組み込まれている。さらに、メモリセル２２に組み込まれる各比較レジスタには、ビットパターン１００、１０２、１０４、１０６、１０８、１１０、１１２、１１４、１１６、１１８が格納される。この種のビットパターン１００、１０２、１０４、１０６、１０８、１１０、１１２、１１４、１１６、１１８は、オペレーションに沿って動的に生成され及び／又は変更されうる。
【００４３】
詳細には、本発明の本実施形態において、第１の装置４では、第１の比較レジスタが第１のビットパターン１００を有し、第２の比較レジスタが第２のビットパターン１０２を有するということが構想される。第２の装置６では、第１の比較レジスタが第１のビットパターン１００を有し、第２の比較レジスタが第３のビットパターン１０４を有し、第３の比較レジスタが第４のビットパターン１０６を有する。第３の装置８では、第１の比較レジスタが同様に第１のビットパターン１００を有し、第２の比較レジスタが第５のビットパターン１０８を有する。第４の装置では、第１の比較レジスタが第１のビットパターン１００を有し、第２の比較レジスタが第６のビットパターン１１０を有するということが構想される。第５の装置１２については、第１の比較レジスタが第１のビットパターン１００を有し、第２の比較レジスタが第３のビットパターン１０４を有し、第３の比較レジスタが第７のビットパターン１１２を有し、第４の比較レジスタが第８のビットパターン１１４を有するということが構想される。第６の装置１４では、第１の比較レジスタは第１のビットパターン１００を有し、第２の比較レジスタは第７のビットパターン１１２を有し、第３の比較レジスタは第９のビットパターン１１６を有する。第７の装置１６では、第１の比較レジスタは第１のビットパターン１００を有し、第２の比較レジスタは第１０のビットパターン１１８を有する。
【００４４】
さらに、図１は、矢印により示されるデータパケット１２０であって、ここでは、所謂遷移ビットパターン１２２、１２４、１２６、１２８と称される複数のビットパターンを内容として含む上記データパケット１２０を示している。このデータパケット１２０は、当該ネットワーク２の接続素子２０を介して、ネットワーク２内を送信される。データパケット２０内の遷移ビットパターン１２２、１２４、１２６、１２８として構成されたビットパターンは、装置４、６、８、１０、１２、１４、１６のうちの少なくとも１つの装置の駆動状態の遷移をもたらすよう構成される。
【００４５】
ここで記載される本方法の実施形態によって、ネットワーク２と接続された少なくとも１つの装置４、６、８、１０、１２、１４、１６の駆動状態の遷移を引き起こすことが可能である。少なくとも１つの装置４、６、８、１０、１２、１４、１６には、その中に格納されたビットパターン１００、１０２、１０４、１０６、１０８、１１０、１１２、１１４、１１６、１１８を有する少なくとも２つの、従って複数の比較レジスタが割り当てられる。本方法の実現において、少なくとも１つの装置４、６、８、１０、１２、１４、１６によって、ネットワーク２の接続素子２０を介して伝達されるデータパケット１２０が受信され、データパケットの内容、即ち、遷移ビットパターン１２２、１２４、１２６、１２８が、装置４、６、８、１０、１２、１４、１６に割り当てられた比較レジスタのビットパターン１００、１０２、１０４、１０６、１０８、１１０、１１２、１１４、１１６、１１８と比較される。少なくとも１つの装置４、６、８、１０、１２、１４、１６の駆動状態の遷移は、当該少なくとも１つの装置４、６、８、１０、１２、１４、１６によって、割り当てられた比較レジスタの固有のビットパターン１００、１０２、１０４、１０６、１０８、１１０、１１２、１１４、１１６、１１８と、受信されたデータパケット１２０の内容と、の一致が検出され又は証明された場合に行われる。これに加えて、装置４、６、８、１０、１２、１４、１６によって、遷移ビットパターン１２２、１２４、１２６、１２８のビットパターンと、比較レジスタに格納された各ビットパターン１００、１０２、１０４、１０６、１０８、１１０、１１２、１１４、１１６、１１８と、が比較される。
【００４６】
図１に示されるように、全ての装置４、６、８、１０、１２、１４、１６の比較レジスタは、第１のビットパターン１００を有する。データパケット１２０によって、遷移ビットパターン１２２、１２４、１２６、１２８のうちの１つについての内容として、第１のビットパターン１００が送信される場合には、全装置４、６、８、１０、１２、１４、１６の駆動状態が変更される。
【００４７】
さらに、第２の装置６及び第５の装置１２に対して、設定可能なメモリセル２２内で、それぞれが第３のビットパターン１０４を有する比較レジスタが割り当てられていることが、図１から分かる。このような前提において、第２の装置６及び第５の装置１２は、ネットワーク２内で第１の群を形成する。データパケット１２０を介して、遷移駆動パターン１２２、１２４、１２６、１２８の１つとして第３のビットパターン１０４が送信されることで、上記２つの装置６、１２の駆動状態は遷移されうる。
【００４８】
さらに、第５の装置１２、第６の装置１４、第７の装置１６は、当該３つの装置１２、１４、１６の各設定可能なメモリ素子２２に、共通の第７のビットパターン１１２を有する比較レジスタが割り当てられるという点で共通している。これに従って、第５の装置１２、第６の装置１４、第７の装置１６は、ネットワーク２内で第２の群を形成する。第２の群の上記３つの装置１２、１４、１６の駆動状態は、本発明の実施形態において、データパケット１２０を介して、遷移ビットパターン１２２、１２４、１２６、１２８のうちの１つとして、第２の群の装置１２、１４、１６に共通に設けられる第７のビットパターン１１２が伝達されることで、遷移される。
【００４９】
さらに、各装置４、６、８、１０、１２、１４、１６は、当該各装置４、６、８、１０、１２、１４、１６に割り当てられた独自のビットパターン１０２、１０６、１０８、１１０、１１４、１１６、１１８を有する。詳細には、第１の装置２は、ここでは独自の第２のビットパターン１０２を有し、第２の装置６は、独自の第４のビットパターン１０６を有し、第３の装置８は、独自の第５のビットパターン１０８を有し、第４の装置１０は、独自の第６のビットパターン１１０を有し、第５の装置１２は、独自の第８のビットパターン１１４を有し、第６の装置１４は、独自の第９のビットパターン１１６を有し、第７の装置１６は、独自の第１０のビットパターン１１８を有する。
【００５０】
上記のビットパターン１０２、１０６、１０８、１１０、１１４、１１６、１１８は、装置４、６、８、１０、１２、１４、１６の駆動中にも動的に変更される。従って、特に、ネットワーク２内での特定の群に対する装置４、６、８、１０、１２、１４、１６の所属をフレキシブルに定め、必要に応じて変更することが可能である。
【００５１】
本発明に係る方法の一実施形態において、データパケット１２０によって、遷移ビットパターン１２２、１２４、１２６、１２８のうちの１つとして、上記の独自のビットパターン１０２、１０６、１０８、１１０、１１４、１１６、１１８の各１つが伝達される場合には、各装置４、６、８、１０、１２、１４、１６が、各対応する独自のビットパターン１０２、１０６、１０８、１１０、１１４、１１６、１１８を受信し次第、各装置４、６、８、１０、１２、１４、１６の駆動状態が遷移される。
【００５２】
本発明の枠組みにおいて、データパケット１２０での、各選択されたビットパターン１００、１０２、１０４、１０６、１０８、１１０、１１２、１１４、１１６、１１８の送信によって、ネットワーク２内の装置４、６、８、１０、１２、１４、１６の様々な形態の駆動状態が遷移され、従って変更されうる。
【００５３】
通常では、少なくとも１つの装置４、６、８、１０、１２、１４、１６が、データパケット１２０の遷移ビットパターン１２２、１２４、１２６、１２８のうちの１つと同一のビットパターン１０２、１０４、１０６、１０８、１１０、１１２、１１４、１１６、１１８を受信した際に、休止状態又はスリープ状態からアウェイク状態への遷移が実行される。
【００５４】
代替的又は追加的に、構想される駆動状態の遷移の際に、装置４、６、８、１０、１２、１４、１６が、当該装置４、６、８、１０、１２、１４、１６に割り当てられたビットパターン１００、１０２、１０４、１０６、１０８、１１０、１１２、１１４、１１６、１１８を、データパケット１２０の内容として獲得する際に、アウェイク状態から休止状態又はスリープ状態への移行が可能である。
【００５５】
図１に概略的に示されるネットワーク２では、一般性が限定されることなく、第１の装置４が、ネットワーク２内の所謂マスタとして構成され、他の全ての装置４、６、８、１０、１２、１４、１６が、ネットワーク２内の所謂スレーブとして構成されるということが構想される。
【００５６】
これに従って、データパケット１２０は、本発明の本実施形態において、マスタとして構成される第１の装置２から、スレーブとして構成される他の装置４、６、８、１０、１２、１４、１６に対して送信され、従って、データパケット１２０の内容として送信されるビットパターン１００、１０２、１０４、１０６、１０８、１１０、１１２、１１４、１１６、１１８に対応して、装置４、６、８、１０、１２、１４、１６の駆動状態が遷移される。
【００５７】
しかしながら、ネットワーク２のマスタとしての第１の装置４から出発して、当該装置４が、データパケット１２０内の内容として遷移ビットパターン１２２、１２４、１２６、１２８の１つとしてビットパターン１００又は１０２が送信される限りにおいて、自身の駆動状態を変更しうるということも可能である。
【００５８】
装置４、６、８、１０、１２、１４、１６には複数のビットパターン１００、１０２、１０４、１０６、１０８、１１０、１１２、１１４、１１６、１１８を割り当てることが可能であるため、装置４、６、８、１０、１２、１４、１６を、ネットワーク２内の装置及びノード４、６、８、１０、１２、１４、１６の複数の群に所属するとして定めることが可能である。
【００５９】
従って、第２の装置６は、当該装置６に対して特に第１のビットパターン１００と第３のビットパターン１０４とが割り当てられるため、２つの群に付属する。第５の装置１２には、特に、第１のビットパターン１００、第３のビットパターン１０４、及び、第７のビットパターン１１２が割り当てられるため、第５の装置１２は３つの群に割り当てられ、従って付属する。第６の装置１４及び第７の装置１６にはそれぞれ、第１のビットパターン１００及び第７のビットパターン１１２が割り当てられるため、これら２つの装置１４、１６、は同じ２つの群に付属する。
【図１】
2013530595.tif 000003
【手続補正書】
【提出日】平成24年11月5日(2012.11.5)
【手続補正１】
【補正対象書類名】明細書
【補正対象項目名】０００８
【補正方法】変更
【補正の内容】
【０００８】
このような背景から、独立請求項の特徴を備えた方法及び装置が提示される。本発明の更なる別の実施形態は、従属請求項及び明細書の記載から明らかとなろう。
【手続補正２】
【補正対象書類名】明細書
【補正対象項目名】００４３
【補正方法】変更
【補正の内容】
【００４３】
詳細には、本発明の本実施形態において、第１の装置４では、第１の比較レジスタが第１のビットパターン１００を有し、第２の比較レジスタが第２のビットパターン１０２を有するということが構想される。第２の装置６では、第１の比較レジスタが第１のビットパターン１００を有し、第２の比較レジスタが第３のビットパターン１０４を有し、第３の比較レジスタが第４のビットパターン１０６を有する。第３の装置８では、第１の比較レジスタが同様に第１のビットパターン１００を有し、第２の比較レジスタが第５のビットパターン１０８を有する。第４の装置１０では、第１の比較レジスタが第１のビットパターン１００を有し、第２の比較レジスタが第６のビットパターン１１０を有するということが構想される。第５の装置１２については、第１の比較レジスタが第１のビットパターン１００を有し、第２の比較レジスタが第３のビットパターン１０４を有し、第３の比較レジスタが第７のビットパターン１１２を有し、第４の比較レジスタが第８のビットパターン１１４を有するということが構想される。第６の装置１４では、第１の比較レジスタは第１のビットパターン１００を有し、第２の比較レジスタは第７のビットパターン１１２を有し、第３の比較レジスタは第９のビットパターン１１６を有する。第７の装置１６では、第１の比較レジスタは第１のビットパターン１００を有し、第２の比較レジスタは第７のビットパターン１１２を有し、第３の比較レジスタは第１０のビットパターン１１８を有する。
【手続補正３】
【補正対象書類名】明細書
【補正対象項目名】００４９
【補正方法】変更
【補正の内容】
【００４９】
さらに、各装置４、６、８、１０、１２、１４、１６は、当該各装置４、６、８、１０、１２、１４、１６に割り当てられた独自のビットパターン１０２、１０６、１０８、１１０、１１４、１１６、１１８を有する。詳細には、第１の装置４は、ここでは独自の第２のビットパターン１０２を有し、第２の装置６は、独自の第４のビットパターン１０６を有し、第３の装置８は、独自の第５のビットパターン１０８を有し、第４の装置１０は、独自の第６のビットパターン１１０を有し、第５の装置１２は、独自の第８のビットパターン１１４を有し、第６の装置１４は、独自の第９のビットパターン１１６を有し、第７の装置１６は、独自の第１０のビットパターン１１８を有する。
【手続補正４】
【補正対象書類名】明細書
【補正対象項目名】００５５
【補正方法】変更
【補正の内容】
【００５５】
図１に概略的に示されるネットワーク２では、一般性が限定されることなく、第１の装置４が、ネットワーク２内の所謂マスタとして構成され、他の全ての装置６、８、１０、１２、１４、１６が、ネットワーク２内の所謂スレーブとして構成されるということが構想される。
【手続補正５】
【補正対象書類名】明細書
【補正対象項目名】００５６
【補正方法】変更
【補正の内容】
【００５６】
これに従って、データパケット１２０は、本発明の本実施形態において、マスタとして構成される第１の装置４から、スレーブとして構成される他の装置６、８、１０、１２、１４、１６に対して送信され、従って、データパケット１２０の内容として送信されるビットパターン１００、１０２、１０４、１０６、１０８、１１０、１１２、１１４、１１６、１１８に対応して、装置６、８、１０、１２、１４、１６の駆動状態が遷移される。
【国際調査報告】
2013530595.tif 000004
2013530595.tif 000005
2013530595.tif 000006
2013530595.tif 000007